【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
アクセスポイントのシステムタイミングを示す方法であって、
前記アクセスポイントの前記システムタイミングに対する特定のサブフレーム（ＳＦ）のサブフレームインデックス値を決定することと、
前記サブフレームインデックス値に基づいてサブフレームオフセット値を決定することと、
ディスカバリー参照信号（ＤＲＳ）を使用して前記サブフレームオフセット値を示すことと、
前記特定のＳＦの間に前記ＤＲＳを少なくとも１つのアクセス端末に送信することと
を備え、
ここにおいて、前記ＤＲＳが、複数の冗長バージョンに従って生成されるように構成された物理ブロードキャストチャネル（ＰＢＣＨ）ペイロードを含み、前記複数の冗長バージョンのうちの各冗長バージョンが特定の冗長バージョン値に関連し、前記ＤＲＳを使用して前記サブフレームオフセット値を示すことが、
前記サブフレームオフセット値に等しい冗長バージョン値を選択することと、
前記選択された冗長バージョン値に基づいて前記ＰＢＣＨペイロードの冗長バージョンを生成することと
を備える、方法。
【請求項２】
前記ＤＲＳが、サブフレームオフセットインジケータフィールドを有する前記物理ブロードキャストチャネル（ＰＢＣＨ）ペイロードを含み、前記ＤＲＳを使用して前記サブフレームオフセット値を示すことが、
前記サブフレームオフセットインジケータフィールドを前記サブフレームオフセット値でポピュレートすること
を備える、請求項１に記載の方法。
【請求項３】
前記特定のＳＦが、２つまたはそれ以上の連続するＳＦを備える第１の送信ウィンドウ内にあるのか１つのＳＦを備える第２の送信ウィンドウ内にあるのかを示すことによってＤＲＳ送信ウィンドウタイプを示すこと
をさらに備える、請求項１に記載の方法。
【請求項４】
前記ＤＲＳが、複数の冗長バージョンに従って生成されるように構成された物理ブロードキャストチャネル（ＰＢＣＨ）ペイロードを含み、前記複数の冗長バージョンのうちの各冗長バージョンが特定の冗長バージョン値に関連し、
前記ＤＲＳ送信ウィンドウタイプを示すことは、
前記特定のＳＦが前記第１の送信ウィンドウ内にある場合、第１の冗長バージョン値を選択し、前記特定のＳＦが前記第２の送信ウィンドウ内にある場合、前記第１の冗長バージョン値とは異なる第２の冗長バージョン値を選択すること
を備え、
前記方法が、
前記選択された冗長バージョン値に基づいて前記ＰＢＣＨペイロードの冗長バージョンを生成すること
をさらに備える、または
前記ＤＲＳが、複数のシーケンスに従って生成されるように構成されたセル固有基準信号（ＣＲＳ）および／または２次同期信号（ＳＳＳ）を含み、前記複数のシーケンスのうちの各シーケンスが特定のシーケンス値に関連し、
前記ＤＲＳ送信ウィンドウタイプを示すことは、
前記特定のＳＦが前記第１の送信ウィンドウ内にある場合、第１のシーケンス値を選択し、前記特定のＳＦが前記第２の送信ウィンドウ内にある場合、前記第１のシーケンス値とは異なる第２のシーケンス値を選択すること
を備え、
前記方法、前記プロセッサは、
前記選択されたシーケンス値に基づいて前記ＣＲＳおよび／または前記ＳＳＳを生成すること
を行うようにさらに構成された、
請求項３に記載の方法。
【請求項５】
ＤＲＳ送信ウィンドウを選択することと、前記選択されたＤＲＳ送信ウィンドウは、前記ＤＲＳがその間に選択的に送信され得る１つまたは複数のサブフレーム（ＳＦ）を備え、ここにおいて、前記選択されたＤＲＳ送信ウィンドウが、２つまたはそれ以上の連続するＳＦを備える第１の送信ウィンドウと、１つのＳＦを備える第２の送信ウィンドウとを備えるグループから選択される、
物理ブロードキャストチャネル（ＰＢＣＨ）ペイロードの第１の送信ウィンドウ周期性フィールドをポピュレートすることによって前記第１の送信ウィンドウの周期性を示すことと、
前記ＰＢＣＨペイロードの第１の送信ウィンドウ境界フィールドをポピュレートすることによって前記第１の送信ウィンドウの境界を示すことと
をさらに備える、請求項１に記載の方法。
【請求項６】
アクセスポイントのシステムタイミングを示すための装置であって、
前記アクセスポイントの前記システムタイミングに対する特定のサブフレーム（ＳＦ）のサブフレームインデックス値を決定するための手段と、
前記サブフレームインデックス値に基づいてサブフレームオフセット値を決定するための手段と、
ディスカバリー参照信号（ＤＲＳ）を使用して前記サブフレームオフセット値を示すための手段と、
前記特定のＳＦの間に前記ＤＲＳを少なくとも１つのアクセス端末に送信するための手段と
を備え、
ここにおいて、前記ＤＲＳが、複数の冗長バージョンに従って生成されるように構成された物理ブロードキャストチャネル（ＰＢＣＨ）ペイロードを含み、前記複数の冗長バージョンのうちの各冗長バージョンが特定の冗長バージョン値に関連し、前記ＤＲＳを使用して前記サブフレームオフセット値を示すための手段が、
前記サブフレームオフセット値に等しい冗長バージョン値を選択するための手段と、
前記選択された冗長バージョン値に基づいて前記ＰＢＣＨペイロードの冗長バージョンを生成するための手段と
を備える、装置。
【請求項７】
アクセスポイントのシステムタイミングを決定する方法であって、
特定のサブフレーム（ＳＦ）の間に前記アクセスポイントからディスカバリー参照信号（ＤＲＳ）を受信することと、
前記ＤＲＳに基づいてサブフレームオフセット値を決定することと、
前記決定されたサブフレームオフセット値に基づいて、前記アクセスポイントの前記システムタイミングに対する前記特定のＳＦのサブフレームインデックス値を決定することと、
前記決定されたサブフレームインデックス値に基づいて前記アクセスポイントの前記システムタイミングを解決することと
を備え、
ここにおいて、前記ＤＲＳが、複数の冗長バージョンに従って生成されるように構成された物理ブロードキャストチャネル（ＰＢＣＨ）ペイロードを含み、前記複数の冗長バージョンのうちの各冗長バージョンが特定の冗長バージョン値に関連し、前記ＤＲＳに基づいて前記サブフレームオフセット値を決定することが、
前記ＰＢＣＨペイロードの冗長バージョン値を決定することと、
前記決定された冗長バージョン値に基づいて前記サブフレームオフセット値を決定することと
を備える、方法。
【請求項８】
前記特定のＳＦが、前記アクセスポイントの前記システムタイミングによって画定される特定のシステムフレーム内にあり、
前記サブフレームインデックス値が前記特定のシステムフレームの第１のＳＦと前記特定のＳＦとの間のＳＦの数に等しい、
請求項１または７に記載の方法。
【請求項９】
前記サブフレームオフセット値が、前記サブフレームインデックス値、および／または前記特定のＳＦと前記特定のシステムフレーム内のＤＲＳ送信ウィンドウの第１のＳＦとの間のＳＦの数に等しく、前記ＤＲＳ送信ウィンドウの前記第１のＳＦが、１つまたは複数のＤＲＳ送信ウィンドウオフセットＳＦによって前記特定のシステムフレームの前記第１のＳＦからオフセットされる、請求項８に記載の方法。
【請求項１０】
前記ＤＲＳが、前記サブフレームオフセット値でポピュレートされるサブフレームオフセットインジケータフィールドを有する前記物理ブロードキャストチャネル（ＰＢＣＨ）ペイロードを含み、前記ＤＲＳに基づいて前記サブフレームオフセット値を決定することが、
前記サブフレームオフセットインジケータフィールドから前記サブフレームオフセット値を読み取ること
を備える、請求項７に記載の方法。
【請求項１１】
前記受信されたＤＲＳに関連するＤＲＳ送信ウィンドウタイプを決定することをさらに備え、前記ＤＲＳ送信ウィンドウタイプが、２つまたはそれ以上の連続するＳＦを備える第１の送信ウィンドウまたは１つのＳＦを備える第２の送信ウィンドウを備える、
請求項７に記載の方法。
【請求項１２】
前記受信されたＤＲＳが、複数の冗長バージョンに従って生成されるように構成された物理ブロードキャストチャネル（ＰＢＣＨ）ペイロードを含み、前記複数の冗長バージョンのうちの各冗長バージョンが特定の冗長バージョン値に関連し、
前記ＤＲＳ送信ウィンドウタイプを決定することは、
前記受信されたＤＲＳ中に含まれる前記ＰＢＣＨペイロードの冗長バージョン値を決定することと、
前記冗長バージョン値が第１の冗長バージョン値である場合、前記ＤＲＳが前記第１の送信ウィンドウの間に受信されたと決定し、前記冗長バージョン値が前記第１の冗長バージョン値とは異なる第２の冗長バージョン値である場合、前記ＤＲＳが前記第２の送信ウィンドウの間に受信されたと決定することと
を備える、または
前記受信されたＤＲＳが、複数のシーケンスに従って生成されるように構成されたセル固有基準信号（ＣＲＳ）および／または２次同期信号（ＳＳＳ）を含み、前記複数のシーケンスのうちの各シーケンスが特定のシーケンス値に関連し、
前記ＤＲＳ送信ウィンドウタイプを決定することは、
前記受信されたＤＲＳ中に含まれる前記ＰＢＣＨペイロードのシーケンス値を決定することと、
前記シーケンス値が第１のシーケンス値である場合、前記ＤＲＳが前記第１の送信ウィンドウの間に受信されたと決定し、前記シーケンス値が前記第１のシーケンス値とは異なる第２のシーケンス値である場合、前記ＤＲＳが前記第２の送信ウィンドウの間に受信されたと決定することと
を備える、
請求項１１に記載の方法。
【請求項１３】
物理ブロードキャストチャネル（ＰＢＣＨ）ペイロードの第１の送信ウィンドウ周期性フィールドを読み取ることによって前記第１の送信ウィンドウの周期性を決定することと、
前記ＰＢＣＨペイロードの第１の送信ウィンドウ境界フィールドを読み取ることによって前記第１の送信ウィンドウの境界を決定することと
をさらに備える、請求項１１に記載の方法。
【請求項１４】
アクセスポイントのシステムタイミングを決定するための装置であって、
特定のサブフレーム（ＳＦ）の間にアクセスポイントからディスカバリー参照信号（ＤＲＳ）を受信するための手段と、
前記ＤＲＳに基づいてサブフレームオフセット値を決定するための手段と、
前記決定されたサブフレームオフセット値に基づいて、前記アクセスポイントの前記システムタイミングに対する前記特定のＳＦのサブフレームインデックス値を決定するための手段と、
前記決定されたサブフレームインデックス値に基づいて前記アクセスポイントの前記システムタイミングを解決するための手段と
を備え、
ここにおいて、前記ＤＲＳが、複数の冗長バージョンに従って生成されるように構成された物理ブロードキャストチャネル（ＰＢＣＨ）ペイロードを含み、前記複数の冗長バージョンのうちの各冗長バージョンが特定の冗長バージョン値に関連し、前記ＤＲＳに基づいて前記サブフレームオフセット値を決定するための手段が、
前記ＰＢＣＨペイロードの冗長バージョン値を決定するための手段と、
前記決定された冗長バージョン値に基づいて前記サブフレームオフセット値を決定するための手段と
を備える、装置。
【請求項１５】
プロセッサによって実行されたとき、前記プロセッサに動作を実施させるコードを含む非一時的コンピュータ可読媒体であって、前記非一時的コンピュータ可読媒体が、請求項１ないし５および７ないし１３のいずれかに記載の方法を実施するためのコードを備える、非一時的コンピュータ可読媒体。
【手続補正２】
【補正対象書類名】明細書
【補正対象項目名】０２０１
【補正方法】変更
【補正の内容】
【０２０１】
[00216]上記の開示は、様々な例示的な態様を示しているが、添付の特許請求の範囲によって定義される範囲から逸脱することなく、様々な変更および修正が、示された例に対して行われ得ることに留意されたい。本開示は、具体的に示された例のみに限定されるものではない。たとえば、別段に記載されていない限り、本明細書で説明された本開示の態様による方法クレームの機能、ステップおよび／またはアクションは、特定の順序で実施されなくてもよい。さらに、いくつかの態様は、単数形で説明または請求されていることがあるが、単数形への限定が明示的に述べられていない限り、複数形が企図される。
以下に本願の出願当初の特許請求の範囲に記載された発明を付記する。
［Ｃ１］  ディスカバリー参照信号（ＤＲＳ）を送信する方法であって、
アクセスポイントのシステムタイミングに対する前記ＤＲＳの送信のための送信タイミングを確立することと、ここにおいて、前記送信タイミングを確立することが、
前記アクセスポイントの前記システムタイミングによって画定される特定のシステムフレームについて、ＤＲＳ送信ウィンドウを選択することを備え、前記選択されたＤＲＳ送信ウィンドウは、前記ＤＲＳがその間に選択的に送信され得る１つまたは複数のサブフレーム（ＳＦ）を備える、
ここにおいて、前記選択されたＤＲＳ送信ウィンドウが、２つまたはそれ以上の連続するＳＦを備える第１の送信ウィンドウと、１つのＳＦを備える第２の送信ウィンドウとを備えるグループから選択される、
前記選択されたＤＲＳ送信ウィンドウに基づいて特定のＳＦの間に前記ＤＲＳを送信すべきかどうかを決定することと、
前記ＤＲＳを送信すべきという決定に応答して前記特定のＳＦの間に前記ＤＲＳを少なくとも１つのアクセス端末に送信することと
を備える、方法。
［Ｃ２］  前記特定のシステムフレームがシステムフレームのシーケンスのうちの１つであり、前記ＤＲＳ送信ウィンドウを選択することが、システムフレームの前記シーケンスのうちの各システムフレームについて厳密に１つのＤＲＳ送信ウィンドウを選択することを備える、Ｃ１に記載の方法。
［Ｃ３］  前記第１の送信ウィンドウが、前記特定のシステムフレームの第１のＳＦで開始する２つまたはそれ以上の連続するＳＦからなる持続時間を有する、Ｃ１に記載の方法。
［Ｃ４］  前記第１の送信ウィンドウが、前記特定のＳＦの第１のＳＦからオフセットされるオフセットＳＦで開始する２つまたはそれ以上の連続するＳＦからなる持続時間を有する、Ｃ１に記載の方法。
［Ｃ５］  前記第２の送信ウィンドウが、前記特定のシステムフレームの第１のＳＦで開始する１つのＳＦからなる持続時間を有する、Ｃ１に記載の方法。
［Ｃ６］  前記ＤＲＳ送信ウィンドウを選択することは、
前記特定のシステムフレームが、（ｉ）システムフレームの前記シーケンス中の１つおきのシステムフレームまたは（ｉｉ）システムフレームの前記シーケンス中の３つおきのシステムフレームを含むシステムフレームのあらかじめ決定されたセット内にあるかどうかを決定することと、
前記特定のシステムフレームが前記あらかじめ決定されたセット内にある場合、前記特定のシステムフレームについて前記第１の送信ウィンドウを選択することと、
前記特定のシステムフレームが前記あらかじめ決定されたセット内にない場合、前記特定のシステムフレームについて前記第２の送信ウィンドウを選択することと
を備える、Ｃ１に記載の方法。
［Ｃ７］  前記特定のＳＦの間に前記ＤＲＳを送信すべきかどうかを決定することは、
前記特定のＳＦが、前記選択されたＤＲＳ送信ウィンドウ内にあるかどうかを決定することと、
前記選択されたＤＲＳ送信ウィンドウが前記第１の送信ウィンドウであるのか前記第２の送信ウィンドウであるのかを決定することと
を備える、Ｃ１に記載の方法。
［Ｃ８］  前記特定のＳＦの間に前記ＤＲＳを送信すべきかどうかを決定することは、
前記選択されたＤＲＳ送信ウィンドウが前記第１の送信ウィンドウであるという決定に応答して、前記特定のＳＦが前記第１の送信ウィンドウ内の最後のＳＦであるかどうかを決定することと、
前記特定のＳＦが、前記第１の送信ウィンドウ内の前記最後のＳＦであるという決定に応答して、通信媒体へのアクセスを求めて競合することなしに前記ＤＲＳを送信することを決定することと
をさらに備える、Ｃ７に記載の方法。
［Ｃ９］  前記特定のＳＦの間に前記ＤＲＳを送信すべきかどうかを決定することは、
前記選択されたＤＲＳ送信ウィンドウが前記第２の送信ウィンドウである、または    前記選択されたＤＲＳ送信ウィンドウが前記第１の送信ウィンドウであり、前記特定のＳＦが前記第１の送信ウィンドウ内の最後のＳＦでない
という決定に応答して通信媒体へのアクセスを求めて競合することと、
前記通信媒体へのアクセスが許可される場合、前記ＤＲＳを送信することを決定することと、
前記通信媒体へのアクセスが許可されない場合、前記ＤＲＳの送信を控えることを決定することと
をさらに備える、Ｃ７に記載の方法。
［Ｃ１０］  前記通信媒体へのアクセスを求めて競合することは、
前記通信媒体上でのシグナリングをリッスンすることと、
前記通信媒体が、ザがアクセス競合しきい値を超えるシグナリングのレベルを含むかどうかを決定することと、
シグナリングの前記レベルが前記アクセス競合しきい値を超えない場合、アクセスが許可されると決定することと、
シグナリングの前記レベルが前記アクセス競合しきい値を超える場合、アクセスが許可されないと決定することと
を備える、Ｃ９に記載の方法。
［Ｃ１１］  ディスカバリー参照信号（ＤＲＳ）を送信するための装置であって、
前記ＤＲＳを送信すべきという決定に応答して特定のサブフレーム（ＳＦ）の間に前記ＤＲＳを少なくとも１つのアクセス端末に送信するように構成されたトランシーバと、  メモリと、前記メモリに結合された少なくとも１つのプロセッサと
を備え、前記プロセッサは、
アクセスポイントのシステムタイミングに対する前記ＤＲＳの送信のための送信タイミングを確立することと、ここにおいて、前記送信タイミングを確立するために、前記プロセッサが、
前記アクセスポイントの前記システムタイミングによって画定される特定のシステムフレームについて、ＤＲＳ送信ウィンドウを選択するように構成され、前記選択されたＤＲＳ送信ウィンドウは、前記ＤＲＳがその間に選択的に送信され得る１つまたは複数のＳＦを備える、
ここにおいて、前記選択されたＤＲＳ送信ウィンドウが、２つまたはそれ以上の連続するＳＦを備える第１の送信ウィンドウと、１つのＳＦを備える第２の送信ウィンドウとを備えるグループから選択される、
前記選択されたＤＲＳ送信ウィンドウに基づいて前記特定のＳＦの間に前記ＤＲＳを送信すべきかどうかを決定することと
を行うように構成された、
装置。
［Ｃ１２］  前記特定のシステムフレームがシステムフレームのシーケンスのうちの１つであり、前記ＤＲＳ送信ウィンドウを選択するために、前記プロセッサが、システムフレームの前記シーケンスのうちの各システムフレームについて厳密に１つのＤＲＳ送信ウィンドウを選択するように構成された、Ｃ１１に記載の装置。
［Ｃ１３］  前記第１の送信ウィンドウが、前記特定のシステムフレームの第１のＳＦで開始する２つまたはそれ以上の連続するＳＦからなる持続時間を有する、Ｃ１１に記載の装置。
［Ｃ１４］  前記第１の送信ウィンドウが、前記特定のＳＦの第１のＳＦからオフセットされるオフセットＳＦで開始する２つまたはそれ以上の連続するＳＦからなる持続時間を有する、Ｃ１１に記載の装置。
［Ｃ１５］  前記第２の送信ウィンドウが、前記特定のシステムフレームの第１のＳＦで開始する１つのＳＦからなる持続時間を有する、Ｃ１１に記載の装置。
［Ｃ１６］  前記ＤＲＳ送信ウィンドウを選択するために、前記プロセッサは、
前記特定のシステムフレームが、（ｉ）システムフレームの前記シーケンス中の１つおきのシステムフレームまたは（ｉｉ）システムフレームの前記シーケンス中の３つおきのシステムフレームを含むシステムフレームのあらかじめ決定されたセット内にあるかどうかを決定することと、
前記特定のシステムフレームが前記あらかじめ決定されたセット内にある場合、前記特定のシステムフレームについて前記第１の送信ウィンドウを選択することと、
前記特定のシステムフレームが前記あらかじめ決定されたセット内にない場合、前記特定のシステムフレームについて前記第２の送信ウィンドウを選択することと
を行うように構成された、Ｃ１１に記載の装置。
［Ｃ１７］  前記特定のＳＦの間に前記ＤＲＳを送信すべきかどうかを決定するために、前記プロセッサは、
前記特定のＳＦが、前記選択されたＤＲＳ送信ウィンドウ内にあるかどうかを決定することと、
前記選択されたＤＲＳ送信ウィンドウが前記第１の送信ウィンドウであるのか前記第２の送信ウィンドウであるのかを決定することと
を行うようにさらに構成された、Ｃ１１に記載の装置。
［Ｃ１８］  前記特定のＳＦの間に前記ＤＲＳを送信すべきかどうかを決定するために、前記プロセッサは、
前記選択されたＤＲＳ送信ウィンドウが前記第１の送信ウィンドウであるという決定に応答して、前記特定のＳＦが前記第１の送信ウィンドウ内の最後のＳＦであるかどうかを決定することと、
前記特定のＳＦが、前記第１の送信ウィンドウ内の前記最後のＳＦであるという決定に応答して、通信媒体へのアクセスを求めて競合することなしに前記ＤＲＳを送信することを決定することと
を行うようにさらに構成された、Ｃ１７に記載の装置。
［Ｃ１９］  前記特定のＳＦの間に前記ＤＲＳを送信すべきかどうかを決定するために、前記プロセッサは、
前記選択されたＤＲＳ送信ウィンドウが前記第２の送信ウィンドウである、または    前記選択されたＤＲＳ送信ウィンドウが前記第１の送信ウィンドウであり、前記特定のＳＦが前記第１の送信ウィンドウ内の最後のＳＦでない
という決定に応答して通信媒体へのアクセスを求めて競合することと、
前記通信媒体へのアクセスが許可される場合、前記ＤＲＳを送信することを決定することと、
前記通信媒体へのアクセスが許可されない場合、前記ＤＲＳの送信を控えることを決定することと
を行うようにさらに構成された、Ｃ１７に記載の装置。
［Ｃ２０］  前記通信媒体へのアクセスを求めて競合するために、前記プロセッサは、
前記通信媒体上でのシグナリングをリッスンすることと、
前記通信媒体が、ザがアクセス競合しきい値を超えるシグナリングのレベルを含むかどうかを決定することと、
シグナリングの前記レベルが前記アクセス競合しきい値を超えない場合、アクセスが許可されると決定することと、
シグナリングの前記レベルが前記アクセス競合しきい値を超える場合、アクセスが許可されないと決定することと
を行うようにさらに構成された、Ｃ１９に記載の装置。
［Ｃ２１］  ディスカバリー参照信号（ＤＲＳ）を送信するための装置であって、
アクセスポイントのシステムタイミングに対する前記ＤＲＳの送信のための送信タイミングを確立するための手段と、ここにおいて、前記送信タイミングを確立するための手段が、
前記アクセスポイントの前記システムタイミングによって画定される特定のシステムフレームについてＤＲＳ送信ウィンドウを選択するための手段を備え、前記選択されたＤＲＳ送信ウィンドウは、前記ＤＲＳがその間に選択的に送信され得る１つまたは複数のサブフレーム（ＳＦ）を備える、
ここにおいて、前記選択されたＤＲＳ送信ウィンドウが、２つまたはそれ以上の連続するＳＦを備える第１の送信ウィンドウと、１つのＳＦを備える第２の送信ウィンドウとを備えるグループから選択される、
前記選択されたＤＲＳ送信ウィンドウに基づいて特定のＳＦの間に前記ＤＲＳを送信すべきかどうかを決定するための手段と、
前記ＤＲＳを送信すべきという決定に応答して前記特定のＳＦの間に前記ＤＲＳを少なくとも１つのアクセス端末に送信するための手段と
を備える、装置。
［Ｃ２２］  前記特定のシステムフレームがシステムフレームのシーケンスのうちの１つであり、前記ＤＲＳ送信ウィンドウを選択するための手段が、システムフレームの前記シーケンスのうちの各システムフレームについて厳密に１つのＤＲＳ送信ウィンドウを選択するための手段を備える、Ｃ２１に記載の装置。
［Ｃ２３］  前記第１の送信ウィンドウが、
前記特定のシステムフレームの第１のＳＦで開始する２つまたはそれ以上の連続するＳＦ、または
前記特定のＳＦの前記第１のＳＦからオフセットされるオフセットＳＦで開始する２つまたはそれ以上の連続するＳＦ
からなる持続時間を有する、Ｃ２１に記載の装置。
［Ｃ２４］  前記第２の送信ウィンドウが、前記特定のシステムフレームの第１のＳＦで開始する１つのＳＦからなる持続時間を有する、Ｃ２１に記載の装置。
［Ｃ２５］  前記ＤＲＳ送信ウィンドウを選択するための手段は、
前記特定のシステムフレームが、（ｉ）システムフレームの前記シーケンス中の１つおきのシステムフレームまたは（ｉｉ）システムフレームの前記シーケンス中の３つおきのシステムフレームを含むシステムフレームのあらかじめ決定されたセット内にあるかどうかを決定するための手段と、
前記特定のシステムフレームが前記あらかじめ決定されたセット内にある場合、前記特定のシステムフレームについて前記第１の送信ウィンドウを選択するための手段と、
前記特定のシステムフレームが前記あらかじめ決定されたセット内にない場合、前記特定のシステムフレームについて前記第２の送信ウィンドウを選択するための手段と
を備える、Ｃ２１に記載の装置。
［Ｃ２６］  プロセッサによって実行されたとき、前記プロセッサに動作を実施させるコードを含む非一時的コンピュータ可読媒体であって、前記非一時的コンピュータ可読媒体は、
アクセスポイントのシステムタイミングに対するＤＲＳの送信のための送信タイミングを確立するためのコードと、ここにおいて、前記送信タイミングを確立するためのコードが、
前記アクセスポイントの前記システムタイミングによって画定される特定のシステムフレームについてＤＲＳ送信ウィンドウを選択するためのコードを備え、前記選択されたＤＲＳ送信ウィンドウは、前記ＤＲＳがその間に選択的に送信され得る１つまたは複数のサブフレーム（ＳＦ）を備える、
ここにおいて、前記選択されたＤＲＳ送信ウィンドウが、２つまたはそれ以上の連続するＳＦを備える第１の送信ウィンドウと、１つのＳＦを備える第２の送信ウィンドウとを備えるグループから選択される、
前記選択されたＤＲＳ送信ウィンドウに基づいて特定のＳＦの間に前記ＤＲＳを送信すべきかどうかを決定するためのコードと、
前記ＤＲＳを送信すべきという決定に応答して前記特定のＳＦの間に前記ＤＲＳを少なくとも１つのアクセス端末に送信するためのコードと
を備える、非一時的コンピュータ可読媒体。
［Ｃ２７］  前記特定のシステムフレームがシステムフレームのシーケンスのうちの１つであり、前記ＤＲＳ送信ウィンドウを選択するためのコードが、システムフレームの前記シーケンスのうちの各システムフレームについて厳密に１つのＤＲＳ送信ウィンドウを選択するためのコードを備える、Ｃ２６に記載の非一時的コンピュータ可読媒体。
［Ｃ２８］  前記第１の送信ウィンドウが、
前記特定のシステムフレームの第１のＳＦで開始する２つまたはそれ以上の連続するＳＦ、または
前記特定のＳＦの前記第１のＳＦからオフセットされるオフセットＳＦで開始する２つまたはそれ以上の連続するＳＦ
からなる持続時間を有する、Ｃ２６に記載の非一時的コンピュータ可読媒体。
［Ｃ２９］  前記第２の送信ウィンドウが、前記特定のシステムフレームの第１のＳＦで開始する１つのＳＦからなる持続時間を有する、Ｃ２６に記載の非一時的コンピュータ可読媒体。
［Ｃ３０］  前記ＤＲＳ送信ウィンドウを選択するためのコードは、
前記特定のシステムフレームが、（ｉ）システムフレームの前記シーケンス中の１つおきのシステムフレームまたは（ｉｉ）システムフレームの前記シーケンス中の３つおきのシステムフレームを含むシステムフレームのあらかじめ決定されたセット内にあるかどうかを決定するためのコードと、
前記特定のシステムフレームが前記あらかじめ決定されたセット内にある場合、前記特定のシステムフレームについて前記第１の送信ウィンドウを選択するためのコードと、  前記特定のシステムフレームが前記あらかじめ決定されたセット内にない場合、前記特定のシステムフレームについて前記第２の送信ウィンドウを選択するためのコードと
を備える、Ｃ２６に記載の非一時的コンピュータ可読媒体。
［Ｃ３１］  アクセスポイントのシステムタイミングを示す方法であって、
前記アクセスポイントの前記システムタイミングに対する特定のサブフレーム（ＳＦ）のサブフレームインデックス値を決定することと、
前記サブフレームインデックス値に基づいてサブフレームオフセット値を決定することと、
ディスカバリー参照信号（ＤＲＳ）を使用して前記サブフレームオフセット値を示すことと、
前記特定のＳＦの間に前記ＤＲＳを少なくとも１つのアクセス端末に送信することとを備える、方法。
［Ｃ３２］  前記特定のＳＦが、前記アクセスポイントの前記システムタイミングによって画定される特定のシステムフレーム内にあり、
前記サブフレームインデックス値が前記特定のシステムフレームの第１のＳＦと前記特定のＳＦとの間のＳＦの数に等しい、
Ｃ３１に記載の方法。
［Ｃ３３］  前記サブフレームオフセット値が、前記サブフレームインデックス値、および／または前記特定のＳＦと前記特定のシステムフレーム内のＤＲＳ送信ウィンドウの第１のＳＦとの間のＳＦの数に等しい、Ｃ３２に記載の方法。
［Ｃ３４］  前記ＤＲＳ送信ウィンドウの前記第１のＳＦが、１つまたは複数のＤＲＳ送信ウィンドウオフセットＳＦによって前記特定のシステムフレームの前記第１のＳＦからオフセットされる、Ｃ３３に記載の方法。
［Ｃ３５］  前記ＤＲＳが、サブフレームオフセットインジケータフィールドを有する物理ブロードキャストチャネル（ＰＢＣＨ）ペイロードを含み、前記ＤＲＳを使用して前記サブフレームオフセット値を示すことが、
前記サブフレームオフセットインジケータフィールドを前記サブフレームオフセット値でポピュレートすること
を備える、Ｃ３１に記載の方法。
［Ｃ３６］  前記ＤＲＳが、複数の冗長バージョンに従って生成されるように構成された物理ブロードキャストチャネル（ＰＢＣＨ）ペイロードを含み、前記複数の冗長バージョンのうちの各冗長バージョンが特定の冗長バージョン値に関連し、前記ＤＲＳを使用して前記サブフレームオフセット値を示すことが、
前記サブフレームオフセット値に等しい冗長バージョン値を選択することと、
前記選択された冗長バージョン値に基づいて前記ＰＢＣＨペイロードの冗長バージョンを生成することと
を備える、Ｃ３１に記載の方法。
［Ｃ３７］  前記特定のＳＦが、２つまたはそれ以上の連続するＳＦを備える第１の送信ウィンドウ内にあるのか１つのＳＦを備える第２の送信ウィンドウ内にあるのかを示すことによってＤＲＳ送信ウィンドウタイプを示すこと
をさらに備える、Ｃ３１に記載の方法。
［Ｃ３８］  前記ＤＲＳが、複数の冗長バージョンに従って生成されるように構成された物理ブロードキャストチャネル（ＰＢＣＨ）ペイロードを含み、前記複数の冗長バージョンのうちの各冗長バージョンが特定の冗長バージョン値に関連し、
前記ＤＲＳ送信ウィンドウタイプを示すことは、
前記特定のＳＦが前記第１の送信ウィンドウ内にある場合、第１の冗長バージョン値を選択し、前記特定のＳＦが前記第２の送信ウィンドウ内にある場合、前記第１の冗長バージョン値とは異なる第２の冗長バージョン値を選択すること
を備え、
前記方法が、
前記選択された冗長バージョン値に基づいて前記ＰＢＣＨペイロードの冗長バージョンを生成すること
をさらに備える、
Ｃ３７に記載の方法。
［Ｃ３９］  前記ＤＲＳが、複数のシーケンスに従って生成されるように構成されたセル固有基準信号（ＣＲＳ）および／または２次同期信号（ＳＳＳ）を含み、前記複数のシーケンスのうちの各シーケンスが特定のシーケンス値に関連し、
前記ＤＲＳ送信ウィンドウタイプを示すことは、
前記特定のＳＦが前記第１の送信ウィンドウ内にある場合、第１のシーケンス値を選択し、前記特定のＳＦが前記第２の送信ウィンドウ内にある場合、前記第１のシーケンス値とは異なる第２のシーケンス値を選択すること
を備え、
前記方法、前記プロセッサは、
前記選択されたシーケンス値に基づいて前記ＣＲＳおよび／または前記ＳＳＳを生成すること
を行うようにさらに構成された、
Ｃ３７に記載の方法。
［Ｃ４０］  ＤＲＳ送信ウィンドウを選択することと、前記選択されたＤＲＳ送信ウィンドウは、前記ＤＲＳがその間に選択的に送信され得る１つまたは複数のサブフレーム（ＳＦ）を備える、ここにおいて、前記選択されたＤＲＳ送信ウィンドウが、２つまたはそれ以上の連続するＳＦを備える第１の送信ウィンドウと、１つのＳＦを備える第２の送信ウィンドウとを備えるグループから選択される、
物理ブロードキャストチャネル（ＰＢＣＨ）ペイロードの第１の送信ウィンドウ周期性フィールドをポピュレートすることによって前記第１の送信ウィンドウの周期性を示すことと、
前記ＰＢＣＨペイロードの第１の送信ウィンドウ境界フィールドをポピュレートすることによって前記第１の送信ウィンドウの境界を示すことと
をさらに備える、Ｃ３１に記載の方法。
［Ｃ４１］  アクセスポイントのシステムタイミングを示すための装置であって、
特定のサブフレーム（ＳＦ）の間にディスカバリー参照信号（ＤＲＳ）を少なくとも１つのアクセス端末に送信するように構成されたトランシーバと、
メモリと、前記メモリに結合された少なくとも１つのプロセッサと
を備え、前記プロセッサが、
前記アクセスポイントの前記システムタイミングに対する前記特定のＳＦのサブフレームインデックス値を決定することと、
前記サブフレームインデックス値に基づいてサブフレームオフセット値を決定することと、
前記ＤＲＳを使用して前記サブフレームオフセット値を示すことと
を行うように構成された、
装置。
［Ｃ４２］  前記特定のＳＦが、前記アクセスポイントの前記システムタイミングによって画定される特定のシステムフレーム内にあり、
前記サブフレームインデックス値が前記特定のシステムフレームの第１のＳＦと前記特定のＳＦとの間のＳＦの数に等しい、
Ｃ４１に記載の装置。
［Ｃ４３］  前記サブフレームオフセット値が、前記サブフレームインデックス値、および／または前記特定のＳＦと前記特定のシステムフレーム内のＤＲＳ送信ウィンドウの第１のＳＦとの間のＳＦの数に等しい、Ｃ４２に記載の装置。
［Ｃ４４］  前記ＤＲＳ送信ウィンドウの前記第１のＳＦが、１つまたは複数のＤＲＳ送信ウィンドウオフセットＳＦによって前記特定のシステムフレームの前記第１のＳＦからオフセットされる、Ｃ４３に記載の装置。
［Ｃ４５］  前記ＤＲＳが、サブフレームオフセットインジケータフィールドを有する物理ブロードキャストチャネル（ＰＢＣＨ）ペイロードを含み、前記ＤＲＳを使用して前記サブフレームオフセット値を示すために、前記プロセッサが、
前記サブフレームオフセットインジケータフィールドを前記サブフレームオフセット値でポピュレートする
ように構成された、Ｃ４１に記載の装置。
［Ｃ４６］  前記ＤＲＳが、複数の冗長バージョンに従って生成されるように構成された物理ブロードキャストチャネル（ＰＢＣＨ）ペイロードを含み、前記複数の冗長バージョンのうちの各冗長バージョンが特定の冗長バージョン値に関連し、前記ＤＲＳを使用して前記サブフレームオフセット値を示すために、前記プロセッサが、
前記サブフレームオフセット値に等しい冗長バージョン値を選択することと、
前記選択された冗長バージョン値に基づいて前記ＰＢＣＨペイロードの冗長バージョンを生成することと
を行うように構成された、Ｃ４１に記載の装置。
［Ｃ４７］  前記プロセッサは、
前記特定のＳＦが、２つまたはそれ以上の連続するＳＦを備える第１の送信ウィンドウ内にあるのか１つのＳＦを備える第２の送信ウィンドウ内にあるのかを示すことによってＤＲＳ送信ウィンドウタイプを示す
ようにさらに構成された、Ｃ４１に記載の装置。
［Ｃ４８］  前記ＤＲＳが、複数の冗長バージョンに従って生成されるように構成された物理ブロードキャストチャネル（ＰＢＣＨ）ペイロードを含み、前記複数の冗長バージョンのうちの各冗長バージョンが特定の冗長バージョン値に関連し、
前記ＤＲＳ送信ウィンドウタイプを示すために、前記プロセッサは、
前記特定のＳＦが前記第１の送信ウィンドウ内にある場合、第１の冗長バージョン値を選択し、前記特定のＳＦが前記第２の送信ウィンドウ内にある場合、前記第１の冗長バージョン値とは異なる第２の冗長バージョン値を選択する
ように構成され、
前記プロセッサが、
前記選択された冗長バージョン値に基づいて前記ＰＢＣＨペイロードの冗長バージョンを生成する
ようにさらに構成された、
Ｃ４７に記載の装置。
［Ｃ４９］  前記ＤＲＳが、複数のシーケンスに従って生成されるように構成されたセル固有基準信号（ＣＲＳ）および／または２次同期信号（ＳＳＳ）を含み、前記複数のシーケンスのうちの各シーケンスが特定のシーケンス値に関連し、
前記ＤＲＳ送信ウィンドウタイプを示すために、前記プロセッサは、
前記特定のＳＦが前記第１の送信ウィンドウ内にある場合、第１のシーケンス値を選択し、前記特定のＳＦが前記第２の送信ウィンドウ内にある場合、前記第１のシーケンス値とは異なる第２のシーケンス値を選択する
ように構成され、
前記プロセッサが、
前記選択されたシーケンス値に基づいて前記ＣＲＳおよび／または前記ＳＳＳを生成する
ようにさらに構成された、
Ｃ４７に記載の装置。
［Ｃ５０］  前記プロセッサは、
ＤＲＳ送信ウィンドウを選択することと、前記選択されたＤＲＳ送信ウィンドウは、前記ＤＲＳがその間に選択的に送信され得る１つまたは複数のサブフレーム（ＳＦ）を備える、ここにおいて、前記選択されたＤＲＳ送信ウィンドウが、２つまたはそれ以上の連続するＳＦを備える第１の送信ウィンドウと、１つのＳＦを備える第２の送信ウィンドウとを備えるグループから選択される、
物理ブロードキャストチャネル（ＰＢＣＨ）ペイロードの第１の送信ウィンドウ周期性フィールドをポピュレートすることによって前記第１の送信ウィンドウの周期性を示すことと、
前記ＰＢＣＨペイロードの第１の送信ウィンドウ境界フィールドをポピュレートすることによって前記第１の送信ウィンドウの境界を示すことと
を行うようにさらに構成された、Ｃ４１に記載の装置。
［Ｃ５１］  アクセスポイントのシステムタイミングを示すための装置であって、
前記アクセスポイントの前記システムタイミングに対する特定のサブフレーム（ＳＦ）のサブフレームインデックス値を決定するための手段と、
前記サブフレームインデックス値に基づいてサブフレームオフセット値を決定するための手段と、
ディスカバリー参照信号（ＤＲＳ）を使用して前記サブフレームオフセット値を示すための手段と、
前記特定のＳＦの間に前記ＤＲＳを少なくとも１つのアクセス端末に送信するための手段と
を備える、装置。
［Ｃ５２］  前記特定のＳＦが、前記アクセスポイントの前記システムタイミングによって画定される特定のシステムフレーム内にあり、
前記サブフレームインデックス値が前記特定のシステムフレームの第１のＳＦと前記特定のＳＦとの間のＳＦの数に等しい、
Ｃ５１に記載の装置。
［Ｃ５３］  前記ＤＲＳが、サブフレームオフセットインジケータフィールドを有する物理ブロードキャストチャネル（ＰＢＣＨ）ペイロードを含み、前記ＤＲＳを使用して前記サブフレームオフセット値を示すための手段が、
前記サブフレームオフセットインジケータフィールドを前記サブフレームオフセット値でポピュレートするための手段
を備える、Ｃ５１に記載の装置。
［Ｃ５４］  前記ＤＲＳが、複数の冗長バージョンに従って生成されるように構成された物理ブロードキャストチャネル（ＰＢＣＨ）ペイロードを含み、前記複数の冗長バージョンのうちの各冗長バージョンが特定の冗長バージョン値に関連し、前記ＤＲＳを使用して前記サブフレームオフセット値を示すための手段が、
前記サブフレームオフセット値に等しい冗長バージョン値を選択するための手段と、  前記選択された冗長バージョン値に基づいて前記ＰＢＣＨペイロードの冗長バージョンを生成するための手段と
を備える、Ｃ５１に記載の装置。
［Ｃ５５］  前記特定のＳＦが、２つまたはそれ以上の連続するＳＦを備える第１の送信ウィンドウ内にあるのか１つのＳＦを備える第２の送信ウィンドウ内にあるのかを示すことによってＤＲＳ送信ウィンドウタイプを示すための手段
をさらに備える、Ｃ５１に記載の装置。
［Ｃ５６］  プロセッサによって実行されたとき、前記プロセッサに動作を実施させるコードを含む非一時的コンピュータ可読媒体であって、前記非一時的コンピュータ可読媒体が、
アクセスポイントのシステムタイミングに対する特定のサブフレーム（ＳＦ）のサブフレームインデックス値を決定するためのコードと、
前記サブフレームインデックス値に基づいてサブフレームオフセット値を決定するためのコードと、
ディスカバリー参照信号（ＤＲＳ）を使用して前記サブフレームオフセット値を示すためのコードと、
前記特定のＳＦの間に前記ＤＲＳを少なくとも１つのアクセス端末に送信するためのコードと
を備える、非一時的コンピュータ可読媒体。
［Ｃ５７］  前記特定のＳＦが、前記アクセスポイントの前記システムタイミングによって画定される特定のシステムフレーム内にあり、
前記サブフレームインデックス値が前記特定のシステムフレームの第１のＳＦと前記特定のＳＦとの間のＳＦの数に等しい、
Ｃ５６に記載の非一時的コンピュータ可読媒体。
［Ｃ５８］  前記ＤＲＳが、サブフレームオフセットインジケータフィールドを有する物理ブロードキャストチャネル（ＰＢＣＨ）ペイロードを含み、前記ＤＲＳを使用して前記サブフレームオフセット値を示すためのコードが、
前記サブフレームオフセットインジケータフィールドを前記サブフレームオフセット値でポピュレートするためのコード
を備える、Ｃ５６に記載の非一時的コンピュータ可読媒体。
［Ｃ５９］  前記ＤＲＳが、複数の冗長バージョンに従って生成されるように構成された物理ブロードキャストチャネル（ＰＢＣＨ）ペイロードを含み、前記複数の冗長バージョンのうちの各冗長バージョンが特定の冗長バージョン値に関連し、前記ＤＲＳを使用して前記サブフレームオフセット値を示すためのコードが、
前記サブフレームオフセット値に等しい冗長バージョン値を選択するためのコードと、  前記選択された冗長バージョン値に基づいて前記ＰＢＣＨペイロードの冗長バージョンを生成するためのコードと
を備える、Ｃ５６に記載の非一時的コンピュータ可読媒体。
［Ｃ６０］  前記特定のＳＦが、２つまたはそれ以上の連続するＳＦを備える第１の送信ウィンドウ内にあるのか１つのＳＦを備える第２の送信ウィンドウ内にあるのかを示すことによってＤＲＳ送信ウィンドウタイプを示すためのコード
をさらに備える、Ｃ５６に記載の非一時的コンピュータ可読媒体。
［Ｃ６１］  アクセスポイントのシステムタイミングを決定する方法であって、
特定のサブフレーム（ＳＦ）の間に前記アクセスポイントからディスカバリー参照信号（ＤＲＳ）を受信することと、
前記ＤＲＳに基づいてサブフレームオフセット値を決定することと、
前記決定されたサブフレームオフセット値に基づいて、前記アクセスポイントの前記システムタイミングに対する前記特定のＳＦのサブフレームインデックス値を決定することと、
前記決定されたサブフレームインデックス値に基づいて前記アクセスポイントの前記システムタイミングを解決することと
を備える、方法。
［Ｃ６２］  前記特定のＳＦが、前記アクセスポイントの前記システムタイミングによって画定される特定のシステムフレーム内にあり、
前記サブフレームインデックス値が前記特定のシステムフレームの第１のＳＦと前記特定のＳＦとの間のＳＦの数に等しい、
Ｃ６１に記載の方法。
［Ｃ６３］  前記サブフレームオフセット値が、前記サブフレームインデックス値、および／または前記特定のＳＦと前記特定のシステムフレーム内のＤＲＳ送信ウィンドウの第１のＳＦとの間のＳＦの数に等しい、Ｃ６２に記載の方法。
［Ｃ６４］  前記ＤＲＳ送信ウィンドウの前記第１のＳＦが、１つまたは複数のＤＲＳ送信ウィンドウオフセットＳＦによって前記特定のシステムフレームの前記第１のＳＦからオフセットされる、Ｃ６３に記載の方法。
［Ｃ６５］  前記ＤＲＳが、前記サブフレームオフセット値でポピュレートされるサブフレームオフセットインジケータフィールドを有する物理ブロードキャストチャネル（ＰＢＣＨ）ペイロードを含み、前記ＤＲＳに基づいて前記サブフレームオフセット値を決定することが、  前記サブフレームオフセットインジケータフィールドから前記サブフレームオフセット値を読み取ること
を備える、Ｃ６１に記載の方法。
［Ｃ６６］  前記ＤＲＳが、複数の冗長バージョンに従って生成されるように構成された物理ブロードキャストチャネル（ＰＢＣＨ）ペイロードを含み、前記複数の冗長バージョンのうちの各冗長バージョンが特定の冗長バージョン値に関連し、前記ＤＲＳに基づいて前記サブフレームオフセット値を決定することが、
前記ＰＢＣＨペイロードの冗長バージョン値を決定することと、
前記決定された冗長バージョン値に基づいて前記サブフレームオフセット値を決定することと
を備える、Ｃ６１に記載の方法。
［Ｃ６７］  前記受信されたＤＲＳに関連するＤＲＳ送信ウィンドウタイプを決定することをさらに備え、前記ＤＲＳ送信ウィンドウタイプが、２つまたはそれ以上の連続するＳＦを備える第１の送信ウィンドウまたは１つのＳＦを備える第２の送信ウィンドウを備える、
Ｃ６１に記載の方法。
［Ｃ６８］  前記受信されたＤＲＳが、複数の冗長バージョンに従って生成されるように構成された物理ブロードキャストチャネル（ＰＢＣＨ）ペイロードを含み、前記複数の冗長バージョンのうちの各冗長バージョンが特定の冗長バージョン値に関連し、
前記ＤＲＳ送信ウィンドウタイプを決定することは、
前記受信されたＤＲＳ中に含まれる前記ＰＢＣＨペイロードの冗長バージョン値を決定することと、
前記冗長バージョン値が第１の冗長バージョン値である場合、前記ＤＲＳが前記第１の送信ウィンドウの間に受信されたと決定し、前記冗長バージョン値が前記第１の冗長バージョン値とは異なる第２の冗長バージョン値であるである、前記ＤＲＳが前記第２の送信ウィンドウの間に受信されたと決定することと
を備える、
Ｃ６７に記載の方法。
［Ｃ６９］  前記受信されたＤＲＳが、複数のシーケンスに従って生成されるように構成されたセル固有基準信号（ＣＲＳ）および／または２次同期信号（ＳＳＳ）を含み、前記複数のシーケンスのうちの各シーケンスが特定のシーケンス値に関連し、
前記ＤＲＳ送信ウィンドウタイプを決定することは、
前記受信されたＤＲＳ中に含まれる前記ＰＢＣＨペイロードのシーケンス値を決定することと、
前記シーケンス値が第１のシーケンス値である場合、前記ＤＲＳが前記第１の送信ウィンドウの間に受信されたと決定し、前記シーケンス値が前記第１のシーケンス値とは異なる第２のシーケンス値であるである、前記ＤＲＳが前記第２の送信ウィンドウの間に受信されたと決定することと
を備える、
Ｃ６７に記載の方法。
［Ｃ７０］  物理ブロードキャストチャネル（ＰＢＣＨ）ペイロードの第１の送信ウィンドウ周期性フィールドを読み取ることによって前記第１の送信ウィンドウの周期性を決定することと、
前記ＰＢＣＨペイロードの第１の送信ウィンドウ境界フィールドを読み取ることによって前記第１の送信ウィンドウの境界を決定することと
をさらに備える、Ｃ６７に記載の方法。
［Ｃ７１］  アクセスポイントのシステムタイミングを決定するための装置であって、
特定のサブフレーム（ＳＦ）の間にアクセスポイントからディスカバリー参照信号（ＤＲＳ）を受信するように構成されたトランシーバと、
メモリと、前記メモリに結合された少なくとも１つのプロセッサと
を備え、前記プロセッサが、
前記ＤＲＳに基づいてサブフレームオフセット値を決定することと、
前記決定されたサブフレームオフセット値に基づいて、前記アクセスポイントの前記システムタイミングに対する前記特定のＳＦのサブフレームインデックス値を決定することと、
前記決定されたサブフレームインデックス値に基づいて前記アクセスポイントの前記システムタイミングを解決することと
を行うように構成された、
装置。
［Ｃ７２］  前記特定のＳＦが、前記アクセスポイントの前記システムタイミングによって画定される特定のシステムフレーム内にあり、
前記サブフレームインデックス値が前記特定のシステムフレームの第１のＳＦと前記特定のＳＦとの間のＳＦの数に等しい、
Ｃ７１に記載の装置。
［Ｃ７３］  前記サブフレームオフセット値が、前記サブフレームインデックス値、および／または前記特定のＳＦと前記特定のシステムフレーム内のＤＲＳ送信ウィンドウの第１のＳＦとの間のＳＦの数に等しい、Ｃ７２に記載の装置。
［Ｃ７４］  前記ＤＲＳ送信ウィンドウの前記第１のＳＦが、１つまたは複数のＤＲＳ送信ウィンドウオフセットＳＦによって前記特定のシステムフレームの前記第１のＳＦからオフセットされる、Ｃ７３に記載の装置。
［Ｃ７５］  前記ＤＲＳが、前記サブフレームオフセット値でポピュレートされるサブフレームオフセットインジケータフィールドを有する物理ブロードキャストチャネル（ＰＢＣＨ）ペイロードを含み、前記ＤＲＳに基づいて前記サブフレームオフセット値を決定するために、前記プロセッサが、
前記サブフレームオフセットインジケータフィールドから前記サブフレームオフセット値を読み取る
ように構成された、Ｃ７１に記載の装置。
［Ｃ７６］  前記ＤＲＳが、複数の冗長バージョンに従って生成されるように構成された物理ブロードキャストチャネル（ＰＢＣＨ）ペイロードを含み、前記複数の冗長バージョンのうちの各冗長バージョンが特定の冗長バージョン値に関連し、前記ＤＲＳに基づいて前記サブフレームオフセット値を決定するために、前記プロセッサが、
前記ＰＢＣＨペイロードの冗長バージョン値を決定することと、
前記決定された冗長バージョン値に基づいて前記サブフレームオフセット値を決定することと
を行うように構成された、Ｃ７１に記載の装置。
［Ｃ７７］  前記プロセッサは、
前記受信されたＤＲＳに関連するＤＲＳ送信ウィンドウタイプを決定するようにさらに構成され、前記ＤＲＳ送信ウィンドウタイプが、２つまたはそれ以上の連続するＳＦを備える第１の送信ウィンドウまたは１つのＳＦを備える第２の送信ウィンドウを備える、Ｃ７１に記載の装置。
［Ｃ７８］  前記受信されたＤＲＳが、複数の冗長バージョンに従って生成されるように構成された物理ブロードキャストチャネル（ＰＢＣＨ）ペイロードを含み、前記複数の冗長バージョンのうちの各冗長バージョンが特定の冗長バージョン値に関連し、
前記ＤＲＳ送信ウィンドウタイプを決定するために、前記プロセッサは、
前記受信されたＤＲＳ中に含まれる前記ＰＢＣＨペイロードの冗長バージョン値を決定することと、
前記冗長バージョン値が第１の冗長バージョン値である場合、前記ＤＲＳが前記第１の送信ウィンドウの間に受信されたと決定し、前記冗長バージョン値が前記第１の冗長バージョン値とは異なる第２の冗長バージョン値であるである、前記ＤＲＳが前記第２の送信ウィンドウの間に受信されたと決定することと
を行うように構成された、
Ｃ７７に記載の装置。
［Ｃ７９］  前記受信されたＤＲＳが、複数のシーケンスに従って生成されるように構成されたセル固有基準信号（ＣＲＳ）および／または２次同期信号（ＳＳＳ）を含み、前記複数のシーケンスのうちの各シーケンスが特定のシーケンス値に関連し、
前記ＤＲＳ送信ウィンドウタイプを決定するために、前記プロセッサは、
前記受信されたＤＲＳ中に含まれる前記ＰＢＣＨペイロードのシーケンス値を決定することと、
前記シーケンス値が第１のシーケンス値である場合、前記ＤＲＳが前記第１の送信ウィンドウの間に受信されたと決定し、前記シーケンス値が前記第１のシーケンス値とは異なる第２のシーケンス値であるである、前記ＤＲＳが前記第２の送信ウィンドウの間に受信されたと決定することと
を行うように構成された、
Ｃ７７に記載の装置。
［Ｃ８０］  前記プロセッサが、
物理ブロードキャストチャネル（ＰＢＣＨ）ペイロードの第１の送信ウィンドウ周期性フィールドを読み取ることによって前記第１の送信ウィンドウの周期性を決定することと、
前記ＰＢＣＨペイロードの第１の送信ウィンドウ境界フィールドを読み取ることによって前記第１の送信ウィンドウの境界を決定することと
を行うようにさらに構成された、Ｃ７７に記載の装置。
［Ｃ８１］  アクセスポイントのシステムタイミングを決定するための装置であって、
特定のサブフレーム（ＳＦ）の間にアクセスポイントからディスカバリー参照信号（ＤＲＳ）を受信するための手段と、
前記ＤＲＳに基づいてサブフレームオフセット値を決定するための手段と、
前記決定されたサブフレームオフセット値に基づいて、前記アクセスポイントの前記システムタイミングに対する前記特定のＳＦのサブフレームインデックス値を決定するための手段と、
前記決定されたサブフレームインデックス値に基づいて前記アクセスポイントの前記システムタイミングを解決するための手段と
を備える、装置。
［Ｃ８２］  前記特定のＳＦが、前記アクセスポイントの前記システムタイミングによって画定される特定のシステムフレーム内にあり、
前記サブフレームインデックス値が前記特定のシステムフレームの第１のＳＦと前記特定のＳＦとの間のＳＦの数に等しい、
Ｃ８１に記載の装置。
［Ｃ８３］  前記ＤＲＳが、前記サブフレームオフセット値でポピュレートされるサブフレームオフセットインジケータフィールドを有する物理ブロードキャストチャネル（ＰＢＣＨ）ペイロードを含み、前記ＤＲＳに基づいて前記サブフレームオフセット値を決定するための手段が、
前記サブフレームオフセットインジケータフィールドから前記サブフレームオフセット値を読み取るための手段
を備える、Ｃ８１に記載の装置。
［Ｃ８４］  前記ＤＲＳが、複数の冗長バージョンに従って生成されるように構成された物理ブロードキャストチャネル（ＰＢＣＨ）ペイロードを含み、前記複数の冗長バージョンのうちの各冗長バージョンが特定の冗長バージョン値に関連し、前記ＤＲＳに基づいて前記サブフレームオフセット値を決定するための手段が、
前記ＰＢＣＨペイロードの冗長バージョン値を決定するための手段と、
前記決定された冗長バージョン値に基づいて前記サブフレームオフセット値を決定するための手段と
を備える、Ｃ８１に記載の装置。
［Ｃ８５］  前記受信されたＤＲＳに関連するＤＲＳ送信ウィンドウタイプを決定するための手段をさらに備え、前記ＤＲＳ送信ウィンドウタイプが、２つまたはそれ以上の連続するＳＦを備える第１の送信ウィンドウまたは１つのＳＦを備える第２の送信ウィンドウを備える、Ｃ８１に記載の装置。
［Ｃ８６］  プロセッサによって実行されたとき、前記プロセッサに動作を実施させるコードを含む非一時的コンピュータ可読媒体であって、前記非一時的コンピュータ可読媒体が、
特定のサブフレーム（ＳＦ）の間にアクセスポイントからディスカバリー参照信号（ＤＲＳ）を受信するためのコードと、
前記ＤＲＳに基づいてサブフレームオフセット値を決定するためのコードと、
前記決定されたサブフレームオフセット値に基づいて、前記アクセスポイントの前記システムタイミングに対する前記特定のＳＦのサブフレームインデックス値を決定するためのコードと、
前記決定されたサブフレームインデックス値に基づいて前記アクセスポイントの前記システムタイミングを解決するためのコードと
を備える、非一時的コンピュータ可読媒体。
［Ｃ８７］  前記特定のＳＦが、前記アクセスポイントの前記システムタイミングによって画定される特定のシステムフレーム内にあり、
前記サブフレームインデックス値が前記特定のシステムフレームの第１のＳＦと前記特定のＳＦとの間のＳＦの数に等しい、
Ｃ８６に記載の非一時的コンピュータ可読媒体。
［Ｃ８８］  前記ＤＲＳが、前記サブフレームオフセット値でポピュレートされるサブフレームオフセットインジケータフィールドを有する物理ブロードキャストチャネル（ＰＢＣＨ）ペイロードを含み、前記ＤＲＳに基づいて前記サブフレームオフセット値を決定するためのコードが、
前記サブフレームオフセットインジケータフィールドから前記サブフレームオフセット値を読み取るためのコード
を備える、Ｃ８６に記載の非一時的コンピュータ可読媒体。
［Ｃ８９］  前記ＤＲＳが、複数の冗長バージョンに従って生成されるように構成された物理ブロードキャストチャネル（ＰＢＣＨ）ペイロードを含み、前記複数の冗長バージョンのうちの各冗長バージョンが特定の冗長バージョン値に関連し、前記ＤＲＳに基づいて前記サブフレームオフセット値を決定するためのコードが、
前記ＰＢＣＨペイロードの冗長バージョン値を決定するためのコードと、
前記決定された冗長バージョン値に基づいて前記サブフレームオフセット値を決定するためのコードと
を備える、Ｃ８６に記載の非一時的コンピュータ可読媒体。
［Ｃ９０］  前記受信されたＤＲＳに関連するＤＲＳ送信ウィンドウタイプを決定するためのコードをさらに備え、前記ＤＲＳ送信ウィンドウタイプが、２つまたはそれ以上の連続するＳＦを備える第１の送信ウィンドウまたは１つのＳＦを備える第２の送信ウィンドウを備える、
Ｃ８６に記載の非一時的コンピュータ可読媒体。